(57)【要約】【課題】  外出時において、携帯端末の持ち忘れによる不携帯が発生すること、使用時の環境が多様となって周囲への配慮ができること、手から携帯端末の滑落が起きること等の不都合の発生を防止できる文具や小物を収容する携帯用ケースを提供する。【解決手段】  携帯用ケース１の一方の見開き面２に、挿通用透孔２１が形成する。携帯端末４の背面に装着されている水平方向への回転と起倒が可能な環部６を前記挿通用透孔２１に緩挿して係止する。【選択図】  図３
0003202974.tif 000002
【実用新案登録請求の範囲】
【請求項１】
水平方向への回転と起倒が可能な環部を備えた支持体が背面に装着されている携帯端末を、係止する一方の見開き面に、前記環部の挿通用透孔が形成されていることを特徴とする文具や小物を収容する携帯用ケース。
【請求項２】
水平方向への回転と起倒が可能な環部を備えたケース状の支持体に抱持された携帯端末であることを特徴とする請求項１に記載の文具や小物を収容する携帯用ケース。
【請求項３】
文具がスケジュール帳であることを特徴とする請求項１または２に記載の文具や小物を収容する携帯用ケース。
【請求項４】
小物が定期券又はＩＣカードであることを特徴とする請求項１乃至３のいずれかに記載の文具や小物を収容する携帯用ケース。
【請求項５】
環部は、少なくとも一本の手指を緩挿した状態で、携帯用ケースと共に携帯端末を操作可能な形態であることを特徴とする請求項１乃至４のいずれかに記載の文具や小物を収容する携帯用ケース。
【考案の詳細な説明】
【技術分野】
【０００１】
本考案は、外出時に携帯端末を含めて一纏めにして収容して携帯が可能な文具や小物を収容する携帯用ケースに関するものである。
【背景技術】
【０００２】
仕事上及び私的な日程を管理するスケジュール帳は常に携帯され、社会生活に必要な他の備品と共に携帯し、或いは一纏めに収容し持ち運べるケース状のものも工夫されている。
【０００３】
また近時は、一般に普及した携帯電話は持ち運びが常時身近に備えておくようになり、端部に飾り具が設けられた紐を連結して携帯の容易性を期している。
そして、近時のスマートホンなどの機種では、機能が多様化し使用時の利便性や机上での使用を快適にする目的に着目した部品も提案されている。
【０００４】
しかし、携帯時には独立した単体として取り扱われていため、外出時に必要な他の用品と共に注意が払われ不携帯が発生すること、使用時の環境が多様となって周囲への配慮を要するようになっていること、手から携帯端末の滑落が起きること等の不都合が生じている。
【先行技術文献】
【特許文献】
【０００５】
【特許文献１】特開２００３−２８９３６４号公報
【特許文献２】特表２０１４−５０３１６０号公報
【考案の概要】
【考案が解決しようとする課題】
【０００６】
そこで、本考案は外出時において、携帯端末の持ち忘れによる不携帯が発生すること、使用時の環境が多様となって周囲への配慮ができること、手から携帯端末の滑落が起きること等の不都合の発生を防止できる文具や小物を収容する携帯用ケースを提供せんとするものである。
【課題を解決するための手段】
【０００７】
本考案の請求項１の文具や小物を収容する携帯用ケースは、水平方向への回転と起倒が可能な環部を備えた支持体が背面に装着されている携帯端末を、係止する一方の見開き面に、前記環部の挿通用透孔が形成されていることを特徴とするものである。
【０００８】
請求項２の文具や小物を収容する携帯用ケースの考案は、請求項１の考案において、水平方向への回転と起倒が可能な環部を備えたケース状の支持体に抱持された携帯端末であることを特徴とするものである。
【０００９】
請求項３の文具や小物を収容する携帯用ケースの考案は、請求項１または２の考案において、文具がスケジュール帳であることを特徴とし、請求項４の文具や小物を収容する携帯用ケースの考案は、請求項１乃至３のいずれかの考案において、小物が定期券又はＩＣカードであることを特徴とするものである。
【００１０】
請求項５の文具や小物を収容する携帯用ケースの考案は、請求項１乃至４のいずれかの考案において、環部は、少なくとも一本の手指を緩挿した状態で、携帯用ケースと共に携帯端末を操作可能な形態であることを特徴とするものである。
【考案の効果】
【００１１】
請求項１の考案において、携帯用ケースは一方の見開き面に、前記環部の挿通用透孔が形成されているため、当該挿通用透孔に携帯端末の背面に装着されている支持体の環部を挿通し、環部を倒して抜け戻りを阻止することで携帯用ケースに収容でき、この携帯用ケースは文具や小物を共に収容するものであるから、外出に必要な文具や小物が一纏めとなり、確認が容易確実になって一部の単品を忘れ不携帯となることを防止する効果を有する。
【００１２】
また、携帯端末の使用時には、携帯用ケースを開くと共に、環部に指を挿入すれば安全且つ容易に把持でき、環部に指を緩挿した状態で携帯端末を様々な角度で左右転させて使い勝手の良い角度とすることができ、携帯用ケースに装着したまま容易に操作ができる効果を発揮する。
【００１３】
さらに、見開きとなった携帯用ケースが外見上看取され周囲の不快感を和らげ、携帯端末の画面もあからさまとならず使用者にとっても好都合である。
そして、携帯用ケースに収容した他の文具や小物の使用についても支障となるものではない。
【００１４】
請求項２の文具や小物を収容する携帯用ケースの考案は、携帯端末において裏面及び側面に当着するケースを装着可能であり、当該ケースの背面に水平方向への回転と起倒が可能な環部を備えたものとすれば、前記請求項１と同様の効果を発揮するものである。
【００１５】
請求項３及び請求項４の文具や小物を収容する携帯用ケースの考案において、スケジュール帳や定期券又はＩＣカードは、公私いずれにしても外出時には不可欠の文具や小物であり、携帯端末一纏めに収容して準備し確認することで、最も重要な持ち物の不携帯を防止できる効果がある。
【００１６】
請求項５の文具や小物を収容する携帯用ケースの考案は、請求項１乃至４のいずれかの考案の効果に加えて、環部は、少なくとも一本の手指を緩挿した状態で、携帯用ケースと共に携帯端末を操作可能な形態であれば、手から携帯端末の滑落を防止できる効果を有し、全体の指示は掌及び指全体で支持できるため支障はないものである。
【図面の簡単な説明】
【００１７】
【図１】本考案の一実施の形態を示す展開（見開いた）状態の斜視図である。
【図２】図１の閉じた状態の正面図である。
【図３】一部断面とした使用状態を示す側面図である。
【図４】使用状態を示す斜視図である。
【図５】携帯端末（スマートホン）の斜視図である。
【図６】他の携帯端末（スマートホン）の斜視図である。
【考案を実施するための形態】
【００１８】
本考案の一実施の形態を図面に基づいて説明する。
図１は本考案の一実施の形態を示す展開（見開いた）状態の斜視図、図２は同閉じた状態の正面図、図３は一部断面とした使用状態を示す側面図、図４は使用状態を示す斜視図である。
【００１９】
本考案の一実施の形態を示す携帯用ケース１は、左右の片が中央部で折りたたみ可能となって重合し、一方の側片は携帯端末の係止部２とし、他方の側片は文具又は＼及び小物等の収容部３と成っている。
係止部２には挿通用透孔２１が形成されており、後述の携帯端末４に装着されている環部６が挿通可能な形態を有している。
【００２０】
収容部３にはクレジットカードや定期券或いは他のＩＣカード等のカード類を収容する挿入ポケット３１が形成されている。
収容部３は上記図面のカード類に限らず、文具や他の小物を収容できるようにすることも自由である。
例えば、メモ帳、スケジュール帳或いは仕事上の資料を着脱可能に一体的に取り付けるようにしても良い。
【００２１】
図５は係止部２に係止する携帯端末（スマートホン）４の斜視図である。
携帯端末（スマートホン）４の背面には、水平方向への回転と起倒が可能な環部６を備えた支持体５が装着されている。
支持体５は、例えば両面テープで携帯端末（スマートホン）４へ貼着することができ、支持体５には水平方向へ回動可能に軸部５１が起設されている。
当該軸部５１に設けた水平孔５２に環部６が緩挿され、この軸部５１と環部６が前記係止部２に形成した挿通用透孔２１に緩挿されるものである。
【００２２】
そこで、挿通用透孔２１に携帯端末４の背面に装着されている支持体５の軸部５１と環部６を挿通し、環部６を倒して抜け戻りを阻止することで携帯用ケース１に係止して収容でき、この携帯用ケース１は文具や小物を共に収容するものであるから、外出に必要な文具や小物が一纏めとなり、確認が容易確実になって一部の単品を忘れ不携帯となることを防止する作用を奏する。
【００２３】
また、携帯端末４の使用時には、携帯用ケース１を見開きにすると共に、環部６に指を挿入すれば安全且つ容易に携帯用ケース１把持でき、環部６に指を緩挿した状態で携帯端末４を様々な角度で左右転させて使い勝手の良い角度として、携帯用ケース１に装着したまま容易に操作ができる作用をも奏する。
【００２４】
環部６は、少なくとも一本の手指を緩挿した状態で、携帯用ケース１と共に携帯端末４を操作可能な形態であることで充分である。
図６は他の携帯端末（スマートホン）４の斜視図であり、水平方向への回転と起倒が可能な環部６を備えた支持体５がケース状に形成されており、携帯端末４が抱持された状態となって装着している。
【００２５】
以上、本考案を図面に基づいて説明した実施の形態における上記の具体的な構成は一例であり、同様の作用効果を得られる構成または手段を排除するものではない。
【符号の説明】
【００２６】
１    携帯用ケース
２    係止部
３    収容部
４    携帯端末（スマートホン）
５    支持体
６    環部
２１  挿通用透孔
３１  挿入ポケット
５１  軸部
５２  水平孔
【図１】
0003202974.tif 000003
【図２】
0003202974.tif 000004
【図３】
0003202974.tif 000005
【図４】
0003202974.tif 000006
【図５】
0003202974.tif 000007
【図６】
0003202974.tif 000008